(57)【要約】【課題】  エアゾール容器の芳香剤をノズルチップの微細な通路を通過させることにより、少量で長時間吐出可能にし、芳香剤を外気に通じている液体中へ放出することにより細かい芳香気泡を発生させ、容器本体外から芳香気泡が目視可能とした芳香剤容器を提供すること。【解決手段】  芳香剤容器として、芳香剤を収納したエアゾール容器とジョイント部材、透明な液体容器とからなる芳香剤容器であって、エアゾール容器の芳香剤を、ジョイント部材、または液体容器に配設されたノズルチップの微細な通路を通過させ、外気に通じている液体容器に収容された液体中へ気泡として放出させることにより、気泡を目視可能としたことを特徴とする。【選択図】    図１
2006327661.tif 000002
【特許請求の範囲】
【請求項１】
芳香剤を収納したエアゾール容器とジョイント部材、透明な液体容器とからなる芳香剤容器であって、
エアゾール容器の芳香剤を、ジョイント部材、または液体容器に配設されたノズルチップの微細な通路を通過させ、外気に通じている液体容器に収容された液体中へ気泡として放出させることにより、気泡を目視可能としたことを特徴とする芳香剤容器。
【請求項２】
液体容器が、エアゾール容器とジョイント部材を装着し、カバーで覆われた内筒体と、内筒体の下部に結合された外筒体とからなり、
内筒体とカバーとの間に、芳香剤が通過する間隙が形成されていることを特徴とする請求項１記載の芳香剤容器。
【請求項３】
液体容器が、エアゾール容器の上方に配設され、
液体容器の底壁に、ノズルチップを具えたステム係合筒が垂設されていることを特徴とする請求項１記載の芳香剤容器。
【請求項４】
液体容器が、容器本体と倒立したエアゾール容器の支持台部を有する蓋体とからなり、
支持台部に、ノズルチップを具えたステム係合筒を立設していることを特徴とする請求項１記載の芳香剤容器。
【請求項５】
液体容器が、エアゾール容器とジョイント部材と平行して配設され、
ジョイント部材を覆う外キャップと、液体容器がパイプによって連結されていることを特徴とする請求項１記載の芳香剤容器。
【請求項６】
液体容器の外気側開口部が、通気性部材により覆われていることを特徴とする請求項１〜５記載の芳香剤容器。
【請求項７】
液体容器の外周壁が、印刷、または印刷を施したシュリンクフィルム等により装飾されていることを特徴とする請求項１〜６記載の芳香剤容器。
【発明の詳細な説明】
【技術分野】
【０００１】
本発明は、芳香剤容器、とくにエアゾール容器を用いた芳香剤容器に関するものである。
【背景技術】
【０００２】
エアゾール容器等を用いて、芳香が必要なときに直接空中にスプレーすることは、従来より周知である。
また、エアゾール容器による直接スプレーと、容器に装着した蓋体等に取着した含滲体に芳香剤をスプレーして芳香を揮散するようにした芳香剤容器も、従来から知られている（例えば、特許文献１参照）。
【０００３】
また、芳香液を収納した容器の一端に、非透水性通気部材を取着し、芳香液を揮散させるようにした芳香剤容器も、従来より知られている（例えば、特許文献２、特許文献３参照）。
【特許文献１】実公昭６３−３４５６７号公報
【特許文献２】実公平４−１７１５９号公報
【特許文献３】特開２００１−２２５８８４号公報
【発明の開示】
【発明が解決しようとする課題】
【０００４】
しかしながら、上記従来の芳香剤容器は、いずれも、芳香している状態を目視可能な芳香剤容器ではなかった。
【０００５】
本発明は、上記問題を解決することを課題として、エアゾール容器の芳香剤をノズルチップの微細な通路を通過させることにより、少量で長時間吐出可能にし、芳香剤を外気に通じている液体中へ放出することにより細かい芳香気泡を発生させ、容器本体外から芳香気泡が目視可能とした芳香剤容器を提供することを目的とする。
【課題を解決するための手段】
【０００６】
本発明は、上記の課題を解決するため、芳香剤容器として、芳香剤を収納したエアゾール容器とジョイント部材、透明な液体容器とからなる芳香剤容器であって、エアゾール容器の芳香剤を、ジョイント部材、または液体容器に配設されたノズルチップの微細な通路を通過させ、外気に通じている液体容器に収容された液体中へ気泡として放出させることにより、気泡を目視可能としたことを特徴とする構成を採用する。
【０００７】
液体容器の実施例として、液体容器が、エアゾール容器とジョイント部材を装着し、カバーで覆われた内筒体と、内筒体の下部に結合された外筒体とからなり、内筒体とカバーとの間に、芳香剤が通過する間隙が形成されていることを特徴とする構成を採用する。
【０００８】
液体容器の他の実施例として、液体容器が、エアゾール容器の上方に配設され、液体容器の底壁に、ノズルチップを具えたステム係合筒が垂設されていることを特徴とする構成、または、液体容器が、容器本体と倒立したエアゾール容器の支持台部を有する蓋体とからなり、支持台部に、ノズルチップを具えたステム係合筒を立設していることを特徴とする構成を採用する。
【０００９】
液体容器の他の実施例として、液体容器が、エアゾール容器とジョイント部材と平行して配設され、ジョイント部材を覆う外キャップと、液体容器がパイプによって連結されていることを特徴とする構成を採用する。
【００１０】
前記各実施例に付加して、液体容器の外気側開口部が、通気性部材により覆われていることを特徴とする構成、或いは、液体容器の外周壁が、印刷、または印刷を施したシュリンクフィルム等により装飾されていることを特徴とする構成を採用する。
【発明の効果】
【００１１】
本発明の芳香剤容器は、エアゾール容器の内容物を、ジョイント体、若しくは液体容器内に設けたノズルチップの微細な通路を通過させることにより、少量で長時間吐出可能にすることができる。
芳香剤を、外気に通じている液体中へ放出することにより細かい芳香気泡を発生させ、容器本体の外から芳香気泡を目視可能としたので、芳香気泡を視認することによって芳香剤の芳香状態を確認することができ、芳香剤がなくなったとき、エアゾール容器の交換時期を明示することが可能となった。
【発明を実施するための最良の形態】
【００１２】
次に、本発明の芳香剤容器について説明する。
本芳香剤容器は、芳香気泡を目視できるようにしたもので、以下実施例をあげ、図面を参照して説明する。
【実施例１】
【００１３】
図１に示すように、本実施例の芳香剤容器は、エアゾール容器Ａとジョイント部材Ｂと、液体容器Ｃとから構成されている。
【００１４】
エアゾール容器Ａは、胴部１と、ステム２を具えたマウンティンカップ３、位置決め凹部を具えた肩部４とから形成されており、胴部１内には、芳香剤が収納されている。
エアゾール容器Ａとして、ＰＥＴ樹脂を素材として成形した容器、金属缶等を用いることができる。
【００１５】
図１、２に示すように、ジョイント部材Ｂは、マウンティンカップ３に装着されるジョイント５と、ステム２に被嵌するキャップ体６とからなっている。
ジョイント５は、上壁７と側周壁８とを具えており、上壁７には、マウンティンカップ３を挟持する保持筒９が垂設され、その上方には、ねじ１０を螺設した取付筒１１が立設されている。
側周壁８の内周には、肩部４に設けた凹部に係合する位置決めのためのリブ１２が設けられている。  
【００１６】
キャップ体６は、上壁１３と取付筒１１内周に係合する内筒を有する取付筒１４とを具えており、上壁１３の中央には、連通孔１５が穿孔され、その外側には、ステム係合筒１６が垂設されている。
上壁１３のステム係合筒１６の上方には、ノズルチップ１７が収納されるチップ受け１８が立設されており、ノズルチップ１７は、微細な通気孔を有する連続発泡体、焼結体等で形成されている。
取付筒１４の内周には、ねじ１０と螺合するねじ１９が螺設され、下端には、外方に膨出する突条２０が設けられている。
【００１７】
図１、３に示すように、液体容器Ｃは、容器本体２５と蓋体２６、および支持台２７とからなっており、容器本体２５は、有頂のカバー２８で覆われた内筒体２９と外筒体３０とからなっている。
内筒体２９は、頂壁３１と側周壁３２と、側周壁３２下端から外方に延びる底壁３３と、底壁３３の周縁から立設された外周壁３４とからなっている。
【００１８】
頂壁３１の中央は、段部となっており、その中心には、連通孔３５が穿孔され、チップ受け１８の外周に嵌合する密封リング３６が垂設されている。
頂壁３１の段部の外側には、下端に膨出部を設けた係合筒３７が垂設されている。
頂壁３１とカバー２８の頂壁との間、および側周壁３２とカバー２８の側周壁の間には間隙３８が設けられ、ノズルチップ１７から噴出された芳香剤の通路となっている。
側周壁３２の下方には、膨出部が設けられ、底壁３３に載置されたパッキン３９を保持しており、外周壁３４の内周には、ねじ４０が螺設されている。
【００１９】
外筒体３０は、外周にねじを螺設した口筒部４１と肩部、胴部４２とを具えており、胴部４２の下端部は、縮径部４３となっている。
縮径部４３の外周には、外周壁３４のねじ４０と螺合するねじ４４が螺設されており、縮径部４３の螺着時には、外筒体３０と内筒体２９は、底壁３３との間にパッキン３９を介して液密に締着され、液体を収納する容器本体２５が構成されている。
【００２０】
蓋体２６は、通気孔４５を設けた頂壁４６と、口筒部４１のねじに螺合するねじを螺設した側周壁４７とからなり、頂壁４６の上面には、非透水性で、かつ通気性を有する通気性フィルム４８が貼着され、下面には、口筒部４１内周に嵌合する密封リング４９が垂設されている。
【００２１】
支持台２７は、容器本体２５の外周壁３４が嵌挿される末広がり状の側周壁５０と、側周壁５０の中間部で内方に連設された環状の支持板５１とからなっており、該支持板５１上に容器本体２５が載置される。
【００２２】
次に、本実施例の芳香剤容器の作用効果について説明する。
芳香剤容器の組立は、まず、カバー２８を被嵌した内筒体２９と外筒体３０を締着した容器本体２５に水を入れ、次いで、エアゾール容器Ａに取着したジョイント５とキャップ体６を螺合一体化し、内筒体２９に装着する。  
或いは、先にキャップ体６を内筒体２９に装着し、エアゾール容器Ａに取着したジョイント５をキャップ体６に螺合して一体化してもよい。
【００２３】
使用にあたって、エアゾール容器Ａを廻動して、ジョイント５の取付筒１１を、キャップ体６の取付筒１４にねじ込むと、ステム係合筒１６によってステム２が押下げられ、エアゾール容器Ａのバルブが開かれ、芳香剤がステム２より噴射される。
噴射された芳香剤は、ノズルチップ１７の微細な通気孔を通過することによって噴射量が抑えられ、バルブ開状態で連続噴射し、少量の芳香剤が長期にわたって吐出されることになる。
【００２４】
吐出された芳香剤は、内筒体２９と、カバー２８との間の間隙３８を通って下方に導かれ、カバー２８の下端から水中に気泡ｂとなって放出され、上昇し、蓋体２６の通気性フィルム４８を通って大気中に放散される。
そして、容器本体２５の外筒体３０は透明であるので、外部から気泡ｂの上昇を目視することができる。
【００２５】
芳香が不要な場合には、エアゾール容器Ａを廻動して、ステム２の押下げを解くことによって噴射をやめることができる。
【００２６】
容器本体２５の外筒体３０とカバー２８の外周面に印刷、若しくは印刷を施したシュリンクフィルム等で装飾することにより、気泡ｂと相まって、立体的な絵柄を表現することも可能である。
また、蓋体２６の頂壁４６に、非透水性の通気性フィルム４８を貼着しているので、容器本体２５を転倒させたときに、容器内の水が飛散することはない。
【実施例２】
【００２７】
次に、第２実施例の芳香剤容器について、説明する
本実施例は、小型の液体容器をエアゾール容器の上方に設けたもので、以下、第１実施例の容器と同一の構成については、同一の符号をもって図示して説明を省略し、相違点を中心に説明する。
【００２８】
図４において、芳香剤容器は、エアゾール容器ＡとジョイントＢａと、液体容器Ｃａと、容器支持台Ｄとから構成されている。
【００２９】
ジョイントＢａは、第１実施例のジョイント５とほぼ同一であり、上壁７と下方に拡径部８ａを設けた側周壁８とを具えており、上壁７には、保持筒９が垂設され、その上方には、ねじを螺設した取付筒１１が立設されている。
【００３０】
液体容器Ｃａは、容器本体６０と蓋体６１とからなり、容器本体６０は、側周壁６２と底壁６３を具えている。
底壁６３の中央部には、ステム係合筒６４が垂設され、その外側には、ねじを螺設した取付筒６５が垂設され、外周縁に沿ってジョイントＢａの側周壁８に嵌合する係合筒６６が垂設されている。
ステム係合筒６４の中間部には、中央に噴出孔を穿孔した隔壁６７が設けられ、隔壁６７の上端には、通気性チップ６８と、中心にノズル孔６９を穿孔したノズルチップ７０が嵌挿されている。
【００３１】
蓋体６１は、放散孔７１を設けた頂壁７２と側壁７３とからなり、容器本体６０に非透水性の通気性パッキン７４を介して被蓋されるようになっている。
【００３２】
支持台Ｄは、末広がり状の側周壁７５と、該側周壁７５の上端から垂設され、容器本体６０の係合筒６６に嵌合する嵌挿筒７６とからなっており、側周壁７５の上端は、容器本体６０の底壁６３外周が載置されるようになっている。
【００３３】
図５（ａ）に示すように、容器本体Ｃａの外周面には、印刷したシュリンクフィルム等によって装飾７７が施されており、さらに、図５（ｂ）に示すように、内側に小魚などをかたどったフィルム７８等を浮遊させることができる。
【００３４】
次に、本実施例容器の作用効果について説明する。
エアゾール容器Ａの液体容器Ｃａへの取着は、支持台Ｄの下方から、エアゾール容器Ａを挿入し、取付筒１１を取付筒６５に係合させることによって取着される。  
【００３５】
使用にあたって、液体容器Ｃａ内に水を入れ、エアゾール容器Ａを廻動し、取付筒６５に取付筒１１をねじ込み、エアゾール容器Ａを上昇させると、ステム係合筒６４がステム２を押下げ、エアゾール容器Ａのバルブを開き、芳香剤を噴射させる。
噴射させた芳香剤は、通気性チップ６８によって、噴出が抑えられ、ノズル孔６９より気泡ｂとして水中に放出される。
したがって、前記実施例と同様の作用効果を得ることができる。
【００３６】
また、液体容器Ｃａ外周面に海草等の模様を施し、水中に魚をかたどったフィルム７８を浮遊させたときには、海中の模様を具現でき、興味をそそることができる。
【実施例３】
【００３７】
次に、エアゾール容器を下方に向け、液体容器に載置した、第３実施例について説明する。
図６において、Ａｂはエアゾール容器、Ｂｂはジョイント、Ｃｂは支持台兼用の液体容器である。
エアゾール容器Ａｂは、胴部１ｂとステム２ｂを具えたマウンティンカップ３ｂとを具えている。
【００３８】
ジョイントＢｂは、上端に膨出部を設け、マウンティンカップ３ｂを挟持する保持筒８０と、該保持筒８０から下方に延設され、ねじ８１を螺設した取付筒８２とからなっている。
【００３９】
液体容器Ｃｂは、容器本体８３と、支持台兼用の蓋体８４とからなっており、容器本体８３は、側周壁８５と底壁８６とを具え、側周壁８５の上端には、フランジ８７が設けられ、蓋体８４の支持台となっている。
【００４０】
側周壁８５の外周面には、図７に示すように、第２実施例と同様の装飾７７が施されており、小魚などをかたどったフィルム７８等を浮遊させることができる。
【００４１】
図６に示すように、蓋体８４は、側周壁８８と、複数の放散孔８９を穿孔した頂壁９０とからなる蓋部９１と、支持台部９２とを具えている。
支持台部９２は、エアゾール容器Ａｂの胴部１ｂを抱持する抱持壁９３と、その下端から下方に延びる保持筒９４とを具えており、保持筒９４の下端には、底壁９５が連設されている。  
なお、第１実施例と同様に頂壁９０に放散孔８９を塞ぐ通気性フイルムが貼着してもよい。
【００４２】
底壁９５の上面には、中央部にステム係合筒９６が立設され、その外側には、ねじ８１に係合するねじ９７を螺設した取付筒９８が立設されている。
ステム係合筒９６には、噴射孔９９を穿孔した隔壁１００が設けられ、その下方は拡径部となっており、通気性チップ１０１と中央に噴出孔１０２を穿孔したノズルチップ１０３が嵌挿されている。
底壁９５の下面には、拡径部に続く導出筒１０４が垂設されている。
【００４３】
次に、本実施例容器の作用効果について説明する。
エアゾール容器Ａｂの液体容器Ｃｂへの取着は、エアゾール容器Ａｂを廻動させながらジョイントＢｂの取付筒８２を取付筒９８に螺着させる。
【００４４】
使用にあたって、さらに、エアゾール容器Ａｂを廻動して、取付筒８２を取付筒９８にねじ込み、ステム係合筒９６によってステム２ｂを押し込むようにすると、バルブが開かれ、芳香剤が噴射される。
噴射された芳香剤は、通気性チップ１０１によって噴出が抑えられ、導出筒１０４の下端から気泡ｂとなって水中に放出される。
したがって、前記各実施例と同様な作用効果を得ることができる。
【実施例４】
【００４５】
次に、エアゾール容器と液体容器とを並列した第４実施例について、説明する。
図８、９において、Ａｃはエアゾール容器、Ｂｃはジョイント部材、Ｃｃは液体容器、Ｅはカバーである。
【００４６】
エアゾール容器Ａｃは、第１実施例と同じく、胴部１とステム２を具えたマウンティンカップ３とからなっており、ジョイント部材Ｂｃは、第１実施例と同じくジョイント５と、キャップ体６とからなっている。
キャップ体６の上面には、外キャップ１１０が被嵌されている。
外キャップ１１０は、ノズルチップ１７に連通する連通室１１１と、キャップ体６の側周壁８を覆う側周壁１１２とを具えている。
連通室１１１の側方には、液体容器Ｃｃに通じるパイプ１１３が連設されている。 
【００４７】
液体容器Ｃｃは、容器本体１１４と蓋体１１５とからなっており、容器本体１１４は、外周にねじを螺設した口筒部１１６と中間に段部１１７ａを設けた胴部１１７と底部とからなっている。
【００４８】
蓋体１１５は、頂壁１１８と上部側周壁１１９、拡径された下部側周壁１２０とからなっており、頂壁１１８には、放散孔１２１が穿孔されている。
頂壁１１８の下面中央には、連通管１２２が垂設されており、パイプ１１３に接続された通路１２３が穿設されている。
【００４９】
連通管１２２には、底部近くまで延びるパイプ１２４が取着されており、放散孔１２１の下面には、上部側周壁１１９と連通管１２２との間に位置し、放散孔１２１を塞ぐ通気性チップ１２５が取着されている。
上部側周壁１１９の下端には、容器本体１１４の口筒部１１６内周に嵌合する密封リングが設けられており、下部側周壁１２０の内周には、口筒部１１６のねじに螺合するねじが螺設されている。
【００５０】
カバーＥは、頂壁１２６と側周壁１２７とからなり、エアゾール容器Ａｃ、外キャップ１１０、液体容器Ｃｃの上方部を覆うように液体容器Ｃｃの段部１１７ａに載置されている。
頂壁１２６には、液体容器Ｃｃの放散孔１２１に合致する放散孔１２８が設けられており、側周壁１２７には、液体容器Ｃｃの下方が見えるように、窓部１２９が設けられている。
なお、第１実施例と同様、放散孔１２８を塞ぐ通気性フイルムを貼着してもよい。
【００５１】
次に、本実施例の作用効果について説明する。
エアゾール容器Ａｃの取着は、第１実施例と同様に、ジョイント５をキャップ体６の取付筒１４に螺合することによって取着される。
【００５２】
使用にあたって、エアゾール容器Ａｃを廻動して取付筒１１を上昇させ、ステム係合筒１６によってステム２を押し込むようにすると、バルブが開かれ、芳香剤が噴射される。
噴射された芳香剤は、ノズルチップ１７を通過することによって、噴射量が抑えられ、連通室１１１、パイプ１１３を通って液体容器Ｃｃに送られ、連通管１２２、パイプ１２４を通過して、バイブ１２４の下端から気泡ｂとなって水中に放出される。
そして、芳香の気泡ｂは、通気性チップ１２５を通じて、放散孔１２１から大気中に放散される。
したがって、本実施例は、前記各実施例と同様な作用効果を得ることができる。
【産業上の利用可能性】
【００５３】
エアゾール容器を着脱するだけで、芳香剤の連続噴出と中止を行うことができ、気泡により芳香状態が目視できるので、エアゾール容器の交換時期を容易に知ることができる。
装飾に面白さが付与されるので、インテリアだけでなく、癒し効果がある芳香剤容器として広く利用できる。
【図面の簡単な説明】
【００５４】
【図１】本発明第１実施例の芳香剤容器の一部断面正面図である。
【図２】エアゾール容器とジョイント部材の一部断面正面図である。
【図３】液体容器の一部断面正面図である。
【図４】第２実施例の芳香剤容器の一部断面正面図である。
【図５】液体容器を説明する斜視図で、（ａ）は外周面の装飾、（ｂ）は液内の装飾の説明図である。
【図６】第３実施例の芳香剤容器の一部断面正面図である。
【図７】液体容器を説明する斜視図で、（ａ）は外周面の装飾、（ｂ）は液内の装飾の説明図である。
【図８】第４実施例の芳香剤容器の説明図で、（ａ）は上面図、（ｂ）は一部断面正面図である。
【図９】芳香剤容器の側面図である。
【符号の説明】
【００５５】
Ａ、Ａｂ、Ａｃ          エアゾール容器
Ｂ、Ｂａ、Ｂｂ、Ｂｃ    ジョイント部材
Ｃ、Ｃａ、Ｃｂ、Ｃｃ    液体容器
Ｄ                      容器支持台
Ｅ                      カバー
ｂ                      気泡
１、１ｂ、４２、１１７  胴部
２、２ｂ                ステム
３、３ｂ                マウンティンカップ
４                      肩部
５                      ジョイント
６                      キャップ体
７                      上壁
８                      側周壁
９、８０、９４          保持筒
１０、１９、４０、８１、９７  ねじ
１１、１４、６５、８２、９８  取付筒
１２                    リブ
１３                    上壁
１５、３５              連通孔
１６、６４、９６        ステム係合筒
１７                    ノズルチップ
１８                    チップ受け
２０                    突条
２５、６０、８３、１１４  容器本体
２６、６１、８４、１１５  蓋体
２７                    支持台
２８                    カバー
２９                    内筒体
３０                    外筒体
３１、４６、７２、９０、１１８、１２６  頂壁
３２、４７、５０、６２、７５、８５、８８、１１２、１２７  側周壁
３３、６３、８６，９５  底壁
３４                    外周壁  
３６、４９              密封リング
３７、６６              係合筒
３８                    間隙
３９                    パッキン
４１、１１６            口筒部
４３                    縮径部
４５                    通気孔
４８                    通気性フィルム
５１                    支持板
６７、１００            隔壁
６８、１０１、１２５    通気性チップ
６９                    ノズル孔
７０、１０３            ノズルチップ
７１、８９、１２１、１２８  放散孔
７３                    側壁
７４                    通気性パッキン
７６                    嵌挿筒
７７                    装飾
７８                    フィルム
８７                    フランジ
９１                    蓋部
９２                    支持台部
９３                    抱持壁
９９                    噴射孔
１０２                  噴出孔
１０４                  導出筒
１１０                  外キャップ 
１１１                  連通室
１１３、１２４          パイプ
１１９                  上部側周壁
１２０                  下部側周壁
１２２                  連通管
１２３                  通路
１２９                  窓部
【図１】
2006327661.tif 000003
【図２】
2006327661.tif 000004
【図３】
2006327661.tif 000005
【図４】
2006327661.tif 000006
【図５】
2006327661.tif 000007
【図６】
2006327661.tif 000008
【図７】
2006327661.tif 000009
【図８】
2006327661.tif 000010
【図９】
2006327661.tif 000011